(57)【要約】【課題】ユーザが正しい障害発生位置を知ることが可能な光伝送装置を提供すること。【解決手段】光伝送装置１００は、光信号をラマン増幅させるための励起光を発する励起光源１０１ａを有し、第１の伝送路Ｄ１を伝送された光信号が入力され、当該光信号を出力するラマン光源ユニット１０１と、第２の伝送路Ｄ２を介してラマン光源ユニット１０１から光信号が入力され、当該光信号に基づいて第１の伝送路Ｄ１及び第２の伝送路Ｄ２における障害の発生を検出する検出部１０２ａを有する光増幅ユニット１０２と、第１の伝送路Ｄ１又は第２の伝送路Ｄ２における障害の発生を検出する検出部１０３と、検出部１０２ａにより障害の発生が検出された場合に、検出部１０３により障害の発生が検出されたか否かに基づいて障害発生位置を特定し、特定した障害発生位置を表す障害発生位置情報を出力する監視制御ユニット１０４と、を備える。【選択図】図７
2012015934.tif 000002
【特許請求の範囲】
【請求項１】
光信号を伝送する第１の伝送路と接続され、且つ、当該光信号をラマン増幅させるための励起光を発する励起光源を有するとともに、当該第１の伝送路を伝送された光信号が入力され、当該入力された光信号を出力するラマン光源ユニットと、
第２の伝送路を介して、前記ラマン光源ユニットに接続され、且つ、当該ラマン光源ユニットから出力された光信号が入力され、当該入力された光信号を増幅するとともに、当該入力された光信号に基づいて、前記第１の伝送路及び前記第２の伝送路における障害の発生を検出する第１の障害発生検出手段を有する光増幅ユニットと、
前記第１の伝送路、又は、前記第２の伝送路における障害の発生を検出する第２の障害発生検出手段と、
前記第１の障害発生検出手段により障害の発生が検出された場合に、前記第２の障害発生検出手段により障害の発生が検出されたか否かに基づいて、障害が発生した位置である障害発生位置を特定し、当該特定した障害発生位置を表す障害発生位置情報を出力する監視制御ユニットと、
を備える光伝送装置。
【請求項２】
請求項１に記載の光伝送装置であって、
前記第２の障害発生検出手段は、前記ラマン光源ユニットに配設され、且つ、当該ラマン光源ユニットに入力された前記光信号に基づいて前記第１の伝送路における障害の発生を検出するように構成された光伝送装置。
【請求項３】
請求項２に記載の光伝送装置であって、
前記監視制御ユニットは、
前記第１の障害発生検出手段により障害の発生が検出された場合において、前記第２の障害発生検出手段により障害の発生が検出されたときに前記障害発生位置として前記第１の伝送路を特定し、一方、前記第２の障害発生検出手段により障害の発生が検出されなかったときに前記障害発生位置として前記第２の伝送路を特定するように構成された光伝送装置。
【請求項４】
請求項２又は請求項３に記載の光伝送装置であって、
前記光信号は、主信号と監視信号とを含み、
前記第１の障害発生検出手段は、前記主信号に基づいて前記障害の発生を検出するように構成され、
前記第２の障害発生検出手段は、前記監視信号に基づいて前記障害の発生を検出するように構成された光伝送装置。
【請求項５】
請求項１に記載の光伝送装置であって、
前記第２の障害発生検出手段は、前記ラマン光源ユニット及び前記光増幅ユニットの一方に配設され、且つ、前記第２の伝送路へ出力される検査用光信号を生成する検査用光源と、前記ラマン光源ユニット及び前記光増幅ユニットの他方に配設され、且つ、前記検査用光源からの前記検査用光信号に基づいて前記第２の伝送路における障害の発生を検出する第２の伝送路用障害発生検出手段と、を含む光伝送装置。
【請求項６】
請求項５に記載の光伝送装置であって、
前記監視制御ユニットは、
前記第１の障害発生検出手段により障害の発生が検出された場合において、前記第２の障害発生検出手段により障害の発生が検出されなかったときに前記障害発生位置として前記第１の伝送路を特定し、一方、前記第２の障害発生検出手段により障害の発生が検出されたときに前記障害発生位置として前記第２の伝送路を特定するように構成された光伝送装置。
【請求項７】
請求項５又は請求項６に記載の光伝送装置であって、
前記光信号は、主信号と監視信号とを含み、
前記第１の障害発生検出手段は、前記主信号に基づいて前記障害の発生を検出するように構成された光伝送装置。
【請求項８】
請求項１乃至請求項７のいずれか一項に記載の光伝送装置であって、
前記第１の障害発生検出手段は、前記障害の発生を検出した場合、第１のアラーム信号を出力するように構成され、
前記第２の障害発生検出手段は、前記障害の発生を検出した場合、第２のアラーム信号を出力するように構成され、
前記監視制御ユニットは、
前記第１のアラーム信号及び前記第２のアラーム信号が入力されるように構成され、
前記第１のアラーム信号の入力の有無を表す第１の入力有無情報と、前記第２のアラーム信号の入力の有無を表す第２の入力有無情報と、前記障害発生位置情報と、を対応付けたテーブルを記憶する障害発生位置情報記憶手段を含み、
前記第１のアラーム信号の実際の入力の有無と、前記第２のアラーム信号の実際の入力の有無と、前記記憶されているテーブルと、に基づいて前記障害発生位置を特定するように構成された光伝送装置。
【請求項９】
請求項１乃至請求項８のいずれか一項に記載の光伝送装置であって、
前記光信号は、主信号と監視信号とを含み、
前記監視制御ユニットが前記第１の伝送路を前記障害発生位置として特定した場合、前記第１の伝送路を介した前記主信号の送信を停止させるための停止指示信号を、前記光信号の送信元へ送信するように構成された光伝送装置。
【請求項１０】
光信号を伝送する第１の伝送路と接続され、且つ、当該光信号をラマン増幅させるための励起光を発する光源を有するとともに、当該第１の伝送路を伝送された光信号が入力され、当該入力された光信号を出力するラマン光源ユニットと、
第２の伝送路を介して、前記ラマン光源ユニットに接続され、且つ、当該ラマン光源ユニットから出力された光信号が入力され、当該入力された光信号を増幅する光増幅ユニットと、
を備える光伝送装置に適用され、
第１の障害発生検出手段が、当該光増幅ユニットに入力された光信号に基づいて、前記第１の伝送路及び前記第２の伝送路における障害の発生を検出し、
第２の障害発生検出手段が、前記第１の伝送路、又は、前記第２の伝送路における障害の発生を検出し、
前記第１の障害発生検出手段により障害の発生が検出された場合に、前記第２の障害発生検出手段により障害の発生が検出されたか否かに基づいて、障害が発生した位置である障害発生位置を特定し、当該特定した障害発生位置を表す障害発生位置情報を出力する、光伝送方法。
【発明の詳細な説明】
【技術分野】
【０００１】
本発明は、光信号を受信する光伝送装置に関する。
【背景技術】
【０００２】
光信号を受信する光伝送装置が知られている。この種の光伝送装置の一つとして特許文献１に記載の光伝送装置は、ラマン光源ユニットと光増幅ユニットとを備える。
【０００３】
ラマン光源ユニットは、光信号を伝送する第１の伝送路と接続される。ラマン光源ユニットは、光信号をラマン増幅させるための励起光を発する光源を有する。ラマン光源ユニットは、第１の伝送路を伝送された光信号が入力され、当該入力された光信号を出力する。
【０００４】
光増幅ユニットは、第２の伝送路を介して、ラマン光源ユニットに接続される。光増幅ユニットは、ラマン光源ユニットから出力された光信号が入力され、当該入力された光信号を増幅する。
【０００５】
更に、光増幅ユニットは、光増幅ユニットに入力された光信号に基づいて、第１の伝送路及び第２の伝送路における障害の発生を検出する第１の障害発生検出部を備える。同様に、ラマン光源ユニットは、ラマン光源ユニットに入力された光信号に基づいて、第１の伝送路における障害の発生を検出する第２の障害発生検出部を備える。
【先行技術文献】
【特許文献】
【０００６】
【特許文献１】特開２００８−２８８８４９号公報
【発明の概要】
【発明が解決しようとする課題】
【０００７】
ところで、上記光伝送装置によれば、ユーザは、第１の障害発生検出部及び第２の障害発生検出部のそれぞれによる検出結果を取得し、取得した検出結果に基づいて、障害が発生した位置（障害発生位置）を特定する。従って、ユーザが障害発生位置として誤った位置を特定してしまう虞があった。
【０００８】
このため、本発明の目的は、上述した課題である「ユーザが障害発生位置として誤った位置を特定してしまう場合が生じること」を解決することが可能な光伝送装置を提供することにある。
【課題を解決するための手段】
【０００９】
かかる目的を達成するため本発明の一形態である光伝送装置は、
光信号を伝送する第１の伝送路と接続され、且つ、当該光信号をラマン増幅させるための励起光を発する励起光源を有するとともに、当該第１の伝送路を伝送された光信号が入力され、当該入力された光信号を出力するラマン光源ユニットと、
第２の伝送路を介して、上記ラマン光源ユニットに接続され、且つ、当該ラマン光源ユニットから出力された光信号が入力され、当該入力された光信号を増幅するとともに、当該入力された光信号に基づいて、上記第１の伝送路及び上記第２の伝送路における障害の発生を検出する第１の障害発生検出手段を有する光増幅ユニットと、
上記第１の伝送路、又は、上記第２の伝送路における障害の発生を検出する第２の障害発生検出手段と、
上記第１の障害発生検出手段により障害の発生が検出された場合に、上記第２の障害発生検出手段により障害の発生が検出されたか否かに基づいて、障害が発生した位置である障害発生位置を特定し、当該特定した障害発生位置を表す障害発生位置情報を出力する監視制御ユニットと、
を備える。
【００１０】
また、本発明の他の形態である光伝送方法は、
光信号を伝送する第１の伝送路と接続され、且つ、当該光信号をラマン増幅させるための励起光を発する光源を有するとともに、当該第１の伝送路を伝送された光信号が入力され、当該入力された光信号を出力するラマン光源ユニットと、
第２の伝送路を介して、上記ラマン光源ユニットに接続され、且つ、当該ラマン光源ユニットから出力された光信号が入力され、当該入力された光信号を増幅する光増幅ユニットと、
を備える光伝送装置に適用され、
第１の障害発生検出手段が、当該光増幅ユニットに入力された光信号に基づいて、上記第１の伝送路及び上記第２の伝送路における障害の発生を検出し、
第２の障害発生検出手段が、上記第１の伝送路、又は、上記第２の伝送路における障害の発生を検出し、
上記第１の障害発生検出手段により障害の発生が検出された場合に、上記第２の障害発生検出手段により障害の発生が検出されたか否かに基づいて、障害が発生した位置である障害発生位置を特定し、当該特定した障害発生位置を表す障害発生位置情報を出力する方法である。
【発明の効果】
【００１１】
本発明は、以上のように構成されることにより、ユーザが正しい障害発生位置を知ることができる。
【図面の簡単な説明】
【００１２】
【図１】本発明の第１実施形態に係る光伝送システムの概略構成を表す図である。
【図２】本発明の第１実施形態に係る光伝送装置の概略構成を表す図である。
【図３】本発明の第１実施形態に係る障害発生位置情報記憶部が記憶しているテーブルである。
【図４】本発明の第２実施形態に係る光伝送装置の概略構成を表す図である。
【図５】本発明の第２実施形態に係る障害発生位置情報記憶部が記憶しているテーブルである。
【図６】本発明の第２実施形態の変形例に係る光伝送装置の概略構成を表す図である。
【図７】本発明の第３実施形態に係る光伝送装置の概略構成を表す図である。
【発明を実施するための形態】
【００１３】
以下、本発明に係る、光伝送装置、及び、光伝送方法、の各実施形態について図１〜図７を参照しながら説明する。
【００１４】
＜第１実施形態＞
（構成）
図１に示したように、第１実施形態に係る光伝送システム１は、波長分割多重方式（ＷＤＭ；Ｗａｖｅｌｅｎｇｔｈ  Ｄｉｖｉｓｉｏｎ  Ｍｕｌｔｉｐｌｅｘｉｎｇ）に従って、光信号を伝送するシステムである。光伝送システム１が伝送する光信号は、互いに波長が異なる、主信号と監視信号とを含む。本例では、監視信号は、ＯＳＣ（Ｏｐｔｉｃａｌ  Ｓｕｐｅｒｖｉｓｏｒｙ  Ｃｈａｎｎｅｌ）信号とも呼ばれる信号である。
【００１５】
光伝送システム１は、複数（本例では、２つ）の光伝送装置１０，２０を備える。光伝送装置１０には、４つの光ファイバＦ１１，Ｆ１２，Ｆ２２，Ｆ２３が接続されている。光伝送装置２０には、４つの光ファイバＦ１２，Ｆ１３，Ｆ２１，Ｆ２２が接続されている。各光ファイバＦ１１，Ｆ１２，Ｆ１３，Ｆ２１，Ｆ２２，Ｆ２３は、光信号を伝送する伝送路を構成する。
【００１６】
このような構成により、光伝送装置１０と光伝送装置２０とは、光ファイバＦ１２及び光ファイバＦ２２のそれぞれにより接続されている。また、光伝送装置１０と図示しない光伝送装置又は光送信装置とは、光ファイバＦ１１により接続されている。更に、光伝送装置１０と図示しない光伝送装置又は光受信装置とは、光ファイバＦ２３により接続されている。同様に、光伝送装置２０と図示しない光伝送装置又は光受信装置とは、光ファイバＦ１３により接続されている。更に、光伝送装置２０と図示しない光伝送装置又は光送信装置とは、光ファイバＦ２１により接続されている。
【００１７】
なお、光ファイバＦ１１及び光ファイバＦ２３は、１つのケーブルに収容されていてもよく、互いに異なるケーブルに収容されていてもよい。同様に、光ファイバＦ１２及び光ファイバＦ２２は、１つのケーブルに収容されていてもよく、互いに異なるケーブルに収容されていてもよい。同様に、光ファイバＦ１３及び光ファイバＦ２１は、１つのケーブルに収容されていてもよく、互いに異なるケーブルに収容されていてもよい。
【００１８】
次に、光伝送装置２０の構成について図２を参照しながら説明する。なお、光伝送装置１０も、光伝送装置２０と同様の構成を有する。
光伝送装置２０は、ラマン光源ユニット２１と、光増幅ユニット２２と、監視信号制御ユニット２３と、光増幅ユニット２４と、監視制御ユニット２５と、３つの光ファイバＣ１，Ｃ２，Ｃ３と、を備える。
【００１９】
ラマン光源ユニット２１は、第１の伝送路を構成する光ファイバＦ１２と接続されている。また、ラマン光源ユニット２１は、第２の伝送路を構成する光ファイバＣ１を介して光増幅ユニット２２と接続されている。ラマン光源ユニット２１は、光ファイバＦ１２を伝送された光信号が入力され、当該入力された光信号を光ファイバＣ１へ出力する。
【００２０】
ラマン光源ユニット２１は、励起光源２１ａと、監視信号検出部（第２の障害発生検出手段）２１ｂと、を備える。
【００２１】
励起光源２１ａは、光信号をラマン増幅させる（即ち、ラマン散乱に基づく誘導放出によって光信号を増幅させる）ための励起光を発する。本例では、励起光源２１ａは、半導体の再結合発光を利用して、励起光としてのレーザを発する半導体レーザ（レーザ・ダイオード、ダイオード・レーザ）である。
【００２２】
本例では、ラマン光源ユニット２１は、図示しない増幅用光ファイバを備える。増幅用光ファイバは、励起光源２１ａが発する励起光が入射されている状態において、ラマン光源ユニット２１に入力された光信号を、ラマン散乱に基づく誘導放出によって増幅する。なお、光伝送システム１は、光ファイバＦ１２が、伝送中の光信号をラマン散乱に基づく誘導放出によって増幅するように構成されていてもよい。
【００２３】
監視信号検出部２１ｂは、ラマン光源ユニット２１に入力された光信号に基づいて、光ファイバＦ１２（第１の伝送路）における障害の発生を検出する。本例では、監視信号検出部２１ｂは、ラマン光源ユニット２１に入力された光信号から、監視信号を分岐させる分岐カプラを備える。そして、監視信号検出部２１ｂは、分岐された監視信号の強度（レベル）が予め設定された閾値よりも小さい場合、障害の発生を検出する。
【００２４】
なお、監視信号検出部２１ｂは、監視信号の信号対雑音比（ＳＮＲ；Ｓｉｇｎａｌ  ｔｏ  Ｎｏｉｓｅ  Ｒａｔｉｏ）が予め設定された閾値よりも小さい場合、障害の発生を検出するように構成されていてもよい。また、監視信号検出部２１ｂは、監視信号が予め設定された信号パターンと相違する場合、障害の発生を検出するように構成されていてもよい。
【００２５】
更に、監視信号検出部２１ｂは、障害の発生を検出した場合、予め設定されたアラーム信号（第２のアラーム信号）を監視制御ユニット２５へ出力する。
【００２６】
光増幅ユニット２２は、第２の伝送路を構成する光ファイバＣ１を介して、ラマン光源ユニット２１と接続されている。更に、光増幅ユニット２２は、光ファイバＦ１３に接続されている。加えて、光増幅ユニット２２は、第３の伝送路を構成する光ファイバＣ２を介して、監視信号制御ユニット２３と接続されている。
【００２７】
光増幅ユニット２２は、ラマン光源ユニット２１から出力された光信号が入力され、当該入力された光信号を増幅する。本例では、光増幅ユニット２２は、光信号を増幅する、図示しない光増幅光ファイバを備える。例えば、光増幅光ファイバは、エルビウムが添加された光ファイバ（エルビウム添加光ファイバ、Ｅｒｂｉｕｍ  Ｄｏｐｅｄ  Ｆｉｂｅｒ、ＥＤＦ）である。
光増幅ユニット２２は、増幅された光信号を光ファイバＦ１３へ出力する。
【００２８】
更に、光増幅ユニット２２は、光増幅ユニット２２に入力された光信号から、監視信号を分岐させる分岐カプラを備える。光増幅ユニット２２は、分岐された監視信号を光ファイバＣ２へ出力する。
【００２９】
加えて、光増幅ユニット２２は、主信号検出部（第１の障害発生検出手段）２２ａを備える。
主信号検出部２２ａは、光増幅ユニット２２に入力された光信号に基づいて、光ファイバＦ１２（第１の伝送路）及び光ファイバＣ１（第２の伝送路）における障害の発生を検出する。本例では、主信号検出部２２ａは、光増幅ユニット２２に入力された光信号から、主信号を分岐させる分岐カプラを備える。そして、主信号検出部２２ａは、分岐された主信号の強度（レベル）が予め設定された閾値よりも小さい場合、障害の発生を検出する。
【００３０】
なお、主信号検出部２２ａは、主信号の信号対雑音比が予め設定された閾値よりも小さい場合、障害の発生を検出するように構成されていてもよい。
更に、主信号検出部２２ａは、障害の発生を検出した場合、予め設定されたアラーム信号（第１のアラーム信号）を監視制御ユニット２５へ出力する。
【００３１】
監視信号制御ユニット２３は、第３の伝送路を構成する光ファイバＣ２を介して、光増幅ユニット２２と接続されている。更に、監視信号制御ユニット２３は、光ファイバＣ３を介して、光増幅ユニット２４と接続されている。監視信号制御ユニット２３は、光増幅ユニット２２から出力された監視信号が入力され、当該入力された監視信号を光ファイバＣ３へ出力する。
【００３２】
加えて、監視信号制御ユニット２３は、監視信号検出部（第３の障害発生検出手段）２３ａを備える。
監視信号検出部２３ａは、監視信号制御ユニット２３に入力された監視信号に基づいて、光ファイバＦ１２（第１の伝送路）、光ファイバＣ１（第２の伝送路）、及び、光ファイバＣ３（第３の伝送路）における障害の発生を検出する。本例では、監視信号検出部２３ａは、監視信号制御ユニット２３に入力された監視信号の強度（レベル）が予め設定された閾値よりも小さい場合、障害の発生を検出する。
【００３３】
なお、監視信号検出部２３ａは、監視信号の信号対雑音比が予め設定された閾値よりも小さい場合、障害の発生を検出するように構成されていてもよい。また、監視信号検出部２３ａは、監視信号が予め設定された信号パターンと相違する場合、障害の発生を検出するように構成されていてもよい。
【００３４】
更に、監視信号検出部２３ａは、障害の発生を検出した場合、予め設定されたアラーム信号（第３のアラーム信号）を監視制御ユニット２５へ出力する。
【００３５】
光増幅ユニット２４は、光ファイバＣ３を介して、監視信号制御ユニット２３と接続されている。更に、光増幅ユニット２４は、光ファイバＦ２１に接続されている。加えて、光増幅ユニット２４は、光ファイバＦ２２に接続されている。
【００３６】
光増幅ユニット２４は、光ファイバＦ２１を伝送された光信号が入力され、当該入力された光信号を増幅する。本例では、光増幅ユニット２４は、光信号を増幅する、図示しない光増幅光ファイバを備える。
更に、光増幅ユニット２４は、監視信号制御ユニット２３から出力された監視信号が入力される。
【００３７】
本例では、光増幅ユニット２４は、増幅後の光信号に、光ファイバＣ３から入力された監視信号を重畳させる合波カプラを備える。そして、光増幅ユニット２４は、重畳後の光信号を光ファイバＦ２２へ出力する。なお、光増幅ユニット２４は、増幅前の光信号に監視信号を重畳させ、重畳後の光信号を増幅するように構成されていてもよい。
【００３８】
監視制御ユニット２５は、主信号検出部２２ａから出力された第１のアラーム信号が入力される。同様に、監視制御ユニット２５は、監視信号検出部２１ｂから出力された第２のアラーム信号が入力される。同様に、監視制御ユニット２５は、監視信号検出部２３ａから出力された第３のアラーム信号が入力される。
【００３９】
監視制御ユニット２５は、障害発生位置情報記憶部（障害発生位置情報記憶手段）２５ａを備える。
障害発生位置情報記憶部２５ａは、第１の入力有無情報と、第２の入力有無情報と、第３の入力有無情報と、障害発生位置情報と、を対応付けたテーブルを予め記憶する記憶装置により構成される。
【００４０】
第１の入力有無情報は、第１のアラーム信号の入力の有無を表す情報である。同様に、第２の入力有無情報は、第２のアラーム信号の入力の有無を表す情報である。同様に、第３の入力有無情報は、第３のアラーム信号の入力の有無を表す情報である。障害発生位置情報は、障害が発生した位置を表す情報である。
本例では、障害発生位置情報記憶部２５ａは、図３に示したテーブルを記憶している。
【００４１】
監視制御ユニット２５は、第１のアラーム信号の実際の入力の有無と、第２のアラーム信号の実際の入力の有無と、第３のアラーム信号の実際の入力の有無と、障害発生位置情報記憶部２５ａに記憶されているテーブルと、に基づいて障害発生位置情報を取得する。
【００４２】
従って、監視制御ユニット２５は、主信号検出部２２ａ（第１の障害発生検出手段）により障害の発生が検出された（第１のアラーム信号の入力がある）場合において、監視信号検出部２１ｂ（第２の障害発生検出手段）により障害の発生が検出された（第２のアラーム信号の入力がある）ときに障害発生位置として第１の伝送路（光ファイバＦ１２）を特定する。
【００４３】
また、監視制御ユニット２５は、主信号検出部２２ａ（第１の障害発生検出手段）により障害の発生が検出された（第１のアラーム信号の入力がある）場合において、監視信号検出部２１ｂ（第２の障害発生検出手段）により障害の発生が検出されなかった（第２のアラーム信号の入力がない）ときに障害発生位置として第２の伝送路（光ファイバＣ１）を特定する。
【００４４】
即ち、監視制御ユニット２５は、主信号検出部２２ａ（第１の障害発生検出手段）により障害の発生が検出された場合に、監視信号検出部２１ｂ（第２の障害発生検出手段）により障害の発生が検出されたか否かに基づいて障害発生位置を特定している、と言うことができる。
【００４５】
また、監視制御ユニット２５は、主信号検出部２２ａ（第１の障害発生検出手段）により障害の発生が検出されなかった（第１のアラーム信号の入力がない）場合において、監視信号検出部２３ａ（第３の障害発生検出手段）により障害の発生が検出された（第３のアラーム信号の入力がある）ときに障害発生位置として第３の伝送路（光ファイバＣ２）を特定する。
そして、監視制御ユニット２５は、特定した障害発生位置を表す障害発生位置情報（即ち、テーブルに基づいて取得した障害発生位置情報）を出力する。
【００４６】
本例では、監視制御ユニット２５は、各障害発生位置と対応付けられた警告灯（本例では、ＬＥＤ（Ｌｉｇｈｔ  Ｅｍｉｔｔｉｎｇ  Ｄｉｏｄｅ））を備える。そして、監視制御ユニット２５は、取得した障害発生位置情報が表す障害発生位置と対応付けられた警告灯のみを点灯させることにより、障害発生位置情報を出力する。なお、監視制御ユニット２５は、ディスプレイを備え、障害発生位置情報が表す障害発生位置を表す画像及び／又は文字列をディスプレイに表示させることにより障害発生位置情報を出力してもよい。
【００４７】
これによれば、ユーザは、障害発生位置情報が表す障害発生位置を容易に知ることができる。更に、ユーザは、正しい障害発生位置を知ることができる。
【００４８】
更に、監視制御ユニット２５は、第１の伝送路（光ファイバＦ１２）を障害発生位置として特定した場合、主信号の送信を停止させるための停止指示信号を監視信号制御ユニット２３へ出力する。
また、監視信号制御ユニット２３は、監視制御ユニット２５から停止指示信号を受信した場合、停止指示信号を、光ファイバＣ３へ出力する監視信号に含ませる。
【００４９】
更に、監視制御ユニット２５は、第１の伝送路（光ファイバＦ１２）を障害発生位置として特定した場合、停止指示信号を光増幅ユニット２４へ出力する。
また、光増幅ユニット２４は、監視制御ユニット２５から停止指示信号を受信した場合、主信号の送信（光ファイバＦ２２への出力）を停止する。即ち、光増幅ユニット２４は、監視信号のみを光ファイバＦ２２へ出力する（即ち、光伝送装置１０へ送信する）。
【００５０】
これにより、光伝送装置１０は、光伝送装置２０から光ファイバＦ２２を介して、停止指示信号を含む監視信号を受信する。光伝送装置１０は、光伝送装置２０から停止指示信号を受信した場合、光ファイバＦ１２を介した主信号の送信（伝送）を停止する。
【００５１】
ところで、第１の伝送路において障害が発生した場合、安全を確保するために第１の伝送路による主信号の伝送を停止させることが好適である。従って、第２の伝送路において障害が発生し且つ第１の伝送路において障害が発生していない場合、第１の伝送路による主信号の伝送を停止させる必要がない。
【００５２】
しかしながら、光伝送装置が、障害が発生した伝送路を特定可能に構成されていない場合、第２の伝送路において障害が発生したときであっても、第１の伝送路による主信号の伝送を無駄に停止させてしまう場合が生じるという問題があった。これに対し、第１実施形態に係る光伝送装置２０によれば、第１の伝送路による主信号の伝送を無駄に停止させることを回避することができる。
【００５３】
（作動）
次に、光伝送システム１の作動について説明する。
先ず、第１の伝送路（光ファイバＦ１２）において障害が発生した場合について説明する。この場合、監視信号検出部２１ｂ、主信号検出部２２ａ、及び、監視信号検出部２３ａのすべてが、障害の発生を検出する。
【００５４】
従って、主信号検出部２２ａは、第１のアラーム信号を監視制御ユニット２５へ出力する。同様に、監視信号検出部２１ｂは、第２のアラーム信号を監視制御ユニット２５へ出力する。同様に、監視信号検出部２３ａは、第３のアラーム信号を監視制御ユニット２５へ出力する。
【００５５】
これにより、監視制御ユニット２５は、第１の伝送路（光ファイバＦ１２）を障害発生位置として特定する。そして、監視制御ユニット２５は、第１の伝送路と対応付けられた警告灯のみを点灯させる。この結果、ユーザは、障害発生位置情報が表す障害発生位置を容易に知ることができる。更に、ユーザは、正しい障害発生位置を知ることができる。
【００５６】
更に、監視制御ユニット２５は、主信号の送信を停止させるための停止指示信号を監視信号制御ユニット２３へ出力する。これにより、監視信号制御ユニット２３は、停止指示信号を光ファイバＣ３へ出力する監視信号に含ませる。
【００５７】
更に、監視制御ユニット２５は、停止指示信号を光増幅ユニット２４へ出力する。これにより、光増幅ユニット２４は、主信号の送信（光ファイバＦ２２への出力）を停止する。即ち、光増幅ユニット２４は、監視信号のみを光ファイバＦ２２へ出力する（即ち、光伝送装置１０へ送信する）。
【００５８】
これにより、光伝送装置１０は、光伝送装置２０から光ファイバＦ２２を介して、停止指示信号を含む監視信号を受信する。その結果、光伝送装置１０は、光ファイバＦ１２を介した主信号の送信（伝送）を停止する。
【００５９】
このように、第１の伝送路にて障害が発生した場合、第１の伝送路による主信号の伝送を停止させることができる。この結果、安全を確保することができる。
【００６０】
次に、第２の伝送路（光ファイバＣ１）において障害が発生した場合について説明する。この場合、主信号検出部２２ａ、及び、監視信号検出部２３ａのそれぞれが、障害の発生を検出する。一方、監視信号検出部２１ｂは、障害の発生を検出しない。
【００６１】
従って、主信号検出部２２ａは、第１のアラーム信号を監視制御ユニット２５へ出力する。同様に、監視信号検出部２３ａは、第３のアラーム信号を監視制御ユニット２５へ出力する。一方、監視信号検出部２１ｂは、第２のアラーム信号を監視制御ユニット２５へ出力しない。
【００６２】
これにより、監視制御ユニット２５は、第２の伝送路（光ファイバＣ１）を障害発生位置として特定する。そして、監視制御ユニット２５は、第２の伝送路と対応付けられた警告灯のみを点灯させる。この結果、ユーザは、障害発生位置情報が表す障害発生位置を容易に知ることができる。更に、ユーザは、正しい障害発生位置を知ることができる。
【００６３】
更に、この場合、光伝送システム１は、第１の伝送路による主信号の伝送を停止させることがない。即ち、第１の伝送路による主信号の伝送を無駄に停止させることを回避することができる。
【００６４】
次に、第３の伝送路（光ファイバＣ２）において障害が発生した場合について説明する。この場合、監視信号検出部２３ａのみが、障害の発生を検出する。一方、監視信号検出部２１ｂ、及び、主信号検出部２２ａのそれぞれは、障害の発生を検出しない。
【００６５】
従って、監視信号検出部２３ａは、第３のアラーム信号を監視制御ユニット２５へ出力する。一方、主信号検出部２２ａは、第１のアラーム信号を監視制御ユニット２５へ出力しない。同様に、監視信号検出部２１ｂは、第２のアラーム信号を監視制御ユニット２５へ出力しない。
【００６６】
これにより、監視制御ユニット２５は、第３の伝送路（光ファイバＣ２）を障害発生位置として特定する。そして、監視制御ユニット２５は、第３の伝送路と対応付けられた警告灯のみを点灯させる。この結果、ユーザは、障害発生位置情報が表す障害発生位置を容易に知ることができる。更に、ユーザは、正しい障害発生位置を知ることができる。
【００６７】
更に、この場合、光伝送システム１は、第１の伝送路による主信号の伝送を停止させることがない。即ち、第１の伝送路による主信号の伝送を無駄に停止させることを回避することができる。
【００６８】
以上、説明したように、本発明の第１実施形態に係る光伝送装置によれば、ユーザは、障害発生位置情報が表す障害発生位置を容易に知ることができる。更に、ユーザは、正しい障害発生位置を知ることができる。
【００６９】
＜第２実施形態＞
次に、本発明の第２実施形態に係る光伝送システムについて説明する。第２実施形態に係る光伝送システムは、上記第１実施形態に係る光伝送システムに対して、第２の伝送路へ検査用光信号を出力し、当該第２の伝送路により伝送された検査用光信号に基づいて第２の伝送路における障害の発生を検出する点において相違している。従って、以下、かかる相違点を中心として説明する。
【００７０】
第２実施形態に係る光伝送装置２０のラマン光源ユニット２１は、監視信号検出部２１ｂに代えて、検査用光源２１ｃを備える。検査用光源２１ｃは、第２の伝送路としての光ファイバＣ１へ出力される検査用光信号を生成する。検査用光信号は、主信号及び監視信号のいずれとも異なる波長を有する信号である。
【００７１】
ラマン光源ユニット２１は、入力された光信号に、検査用光源２１ｃにより生成された検査用光信号を重畳させる合波カプラを備える。そして、ラマン光源ユニット２１は、重畳後の光信号を、第２の伝送路としての光ファイバＣ１へ出力する。
【００７２】
更に、第２実施形態に係る光伝送装置２０の光増幅ユニット２２は、検査用光信号検出部２２ｂ（第２の伝送路用障害発生検出手段）を備える。
【００７３】
検査用光信号検出部２２ｂは、光増幅ユニット２２に入力された検査用光信号に基づいて、光ファイバＣ１（第２の伝送路）における障害の発生を検出する。本例では、検査用光信号検出部２２ｂは、光増幅ユニット２２に入力された光信号から、検査用光信号を分岐させる分岐カプラを備える。
【００７４】
そして、検査用光信号検出部２２ｂは、分岐された検査用光信号の強度（レベル）が予め設定された閾値よりも小さい場合、障害の発生を検出する。
即ち、検査用光信号検出部２２ｂは、検査用光源２１ｃからの検査用光信号に基づいて第２の伝送路における障害の発生を検出している、と言うことができる。
【００７５】
なお、検査用光信号検出部２２ｂは、検査用光信号の信号対雑音比が予め設定された閾値よりも小さい場合、障害の発生を検出するように構成されていてもよい。また、検査用光信号検出部２２ｂは、検査用光信号が予め設定された信号パターンと相違する場合、障害の発生を検出するように構成されていてもよい。
【００７６】
更に、検査用光信号検出部２２ｂは、障害の発生を検出した場合、予め設定されたアラーム信号（第２のアラーム信号）を監視制御ユニット２５へ出力する。
このように、検査用光源２１ｃ及び検査用光信号検出部２２ｂは、第２の障害発生検出手段を構成している。
【００７７】
第２実施形態に係る障害発生位置情報記憶部２５ａは、図５に示したテーブルを記憶している。
【００７８】
従って、監視制御ユニット２５は、主信号検出部２２ａ（第１の障害発生検出手段）により障害の発生が検出された（第１のアラーム信号の入力がある）場合において、検査用光信号検出部２２ｂ（第２の障害発生検出手段）により障害の発生が検出されなかった（第２のアラーム信号の入力がない）ときに障害発生位置として第１の伝送路（光ファイバＦ１２）を特定する。
【００７９】
また、監視制御ユニット２５は、主信号検出部２２ａ（第１の障害発生検出手段）により障害の発生が検出された（第１のアラーム信号の入力がある）場合において、検査用光信号検出部２２ｂ（第２の障害発生検出手段）により障害の発生が検出された（第２のアラーム信号の入力がある）ときに障害発生位置として第２の伝送路（光ファイバＣ１）を特定する。
【００８０】
即ち、監視制御ユニット２５は、主信号検出部２２ａ（第１の障害発生検出手段）により障害の発生が検出された場合に、検査用光信号検出部２２ｂ（第２の障害発生検出手段）により障害の発生が検出されたか否かに基づいて障害発生位置を特定している、と言うことができる。
【００８１】
また、監視制御ユニット２５は、主信号検出部２２ａ（第１の障害発生検出手段）により障害の発生が検出されなかった（第１のアラーム信号の入力がない）場合において、監視信号検出部２３ａ（第３の障害発生検出手段）により障害の発生が検出された（第３のアラーム信号の入力がある）ときに障害発生位置として第３の伝送路（光ファイバＣ２）を特定する。
【００８２】
以上、説明したように、本発明の第２実施形態に係る光伝送システム１によれば、第１実施形態に係る光伝送システム１と同様の作用及び効果を奏することができる。
【００８３】
なお、第２実施形態に係る光伝送システム１は、光増幅ユニット２２が検査用光源を備えるとともに、ラマン光源ユニット２１が検査用光信号検出部を備えていてもよい。
【００８４】
この変形例に係るラマン光源ユニット２１は、図６に示したように、検査用光源２１ｃに代えて、検査用光信号検出部２１ｄを備える。検査用光信号検出部２１ｄは、検査用光信号検出部２２ｂと同様の機能を有する。また、光増幅ユニット２２は、検査用光信号検出部２２ｂに代えて、検査用光源２２ｃを備える。検査用光源２２ｃは、検査用光源２１ｃと同様の機能を有する。
この変形例に係る光伝送システム１によっても、第２実施形態に係る光伝送システム１と同様の作用及び効果を奏することができる。
【００８５】
＜第３実施形態＞
次に、本発明の第３実施形態に係る光伝送装置について図７を参照しながら説明する。
第３実施形態に係る光伝送装置１００は、
光信号を伝送する第１の伝送路Ｄ１と接続され、且つ、当該光信号をラマン増幅させるための励起光を発する励起光源１０１ａを有するとともに、第１の伝送路Ｄ１を伝送された光信号が入力され、当該入力された光信号を出力するラマン光源ユニット１０１と、
第２の伝送路Ｄ２を介して、ラマン光源ユニット１０１に接続され、且つ、ラマン光源ユニット１０１から出力された光信号が入力され、当該入力された光信号を増幅するとともに、当該入力された光信号に基づいて、第１の伝送路Ｄ１及び第２の伝送路Ｄ２における障害の発生を検出する第１の障害発生検出部（第１の障害発生検出手段）１０２ａを有する光増幅ユニット１０２と、
第１の伝送路Ｄ１、又は、第２の伝送路Ｄ２における障害の発生を検出する第２の障害発生検出部（第２の障害発生検出手段）１０３と、
第１の障害発生検出部１０２ａにより障害の発生が検出された場合に、第２の障害発生検出部１０３により障害の発生が検出されたか否かに基づいて、障害が発生した位置である障害発生位置を特定し、当該特定した障害発生位置を表す障害発生位置情報を出力する監視制御ユニット１０４と、
を備える。
【００８６】
これによれば、ユーザは、障害発生位置情報が表す障害発生位置を容易に知ることができる。更に、ユーザは、正しい障害発生位置を知ることができる。
【００８７】
以上、上記実施形態を参照して本願発明を説明したが、本願発明は、上述した実施形態に限定されるものではない。本願発明の構成及び詳細に、本願発明の範囲内において当業者が理解し得る様々な変更をすることができる。
【００８８】
例えば、光伝送装置２０は、光ファイバにより伝送される光信号を中継（転送）する光中継装置であったが、光ファイバにより伝送される光信号を受信する光受信装置であってもよい。また、光伝送システム１においては、光伝送装置１０から光伝送装置２０へ伝送される光信号に基づいて障害の発生を検出するように構成されていたが、光伝送装置２０から光伝送装置１０へ伝送される光信号に基づいて障害の発生を検出するように構成されていてもよい。また、光伝送システム１は、一方向だけでなく、双方向において障害の発生を検出するように構成されていてもよい。
【００８９】
なお、上記各実施形態において光伝送装置の監視制御ユニットの機能は、回路等のハードウェアにより実現されていた。ところで、監視制御ユニットは、処理装置と、プログラム（ソフトウェア）を記憶する記憶装置と、を備えるとともに、処理装置がそのプログラムを実行することにより、機能を実現するように構成されていてもよい。この場合、プログラムは、コンピュータが読み取り可能な記録媒体に記憶されていてもよい。例えば、記録媒体は、フレキシブルディスク、光ディスク、光磁気ディスク、及び、半導体メモリ等の可搬性を有する媒体である。
【００９０】
また、上記実施形態の他の変形例として、上述した実施形態及び変形例の任意の組み合わせが採用されてもよい。
【００９１】
＜付記＞
上記実施形態の一部又は全部は、以下の付記のように記載され得るが、以下には限られない。
【００９２】
（付記１）
光信号を伝送する第１の伝送路と接続され、且つ、当該光信号をラマン増幅させるための励起光を発する励起光源を有するとともに、当該第１の伝送路を伝送された光信号が入力され、当該入力された光信号を出力するラマン光源ユニットと、
第２の伝送路を介して、前記ラマン光源ユニットに接続され、且つ、当該ラマン光源ユニットから出力された光信号が入力され、当該入力された光信号を増幅するとともに、当該入力された光信号に基づいて、前記第１の伝送路及び前記第２の伝送路における障害の発生を検出する第１の障害発生検出手段を有する光増幅ユニットと、
前記第１の伝送路、又は、前記第２の伝送路における障害の発生を検出する第２の障害発生検出手段と、
前記第１の障害発生検出手段により障害の発生が検出された場合に、前記第２の障害発生検出手段により障害の発生が検出されたか否かに基づいて、障害が発生した位置である障害発生位置を特定し、当該特定した障害発生位置を表す障害発生位置情報を出力する監視制御ユニットと、
を備える光伝送装置。
【００９３】
これによれば、ユーザは、障害発生位置情報が表す障害発生位置を容易に知ることができる。更に、ユーザは、正しい障害発生位置を知ることができる。
【００９４】
（付記２）
付記１に記載の光伝送装置であって、
前記第２の障害発生検出手段は、前記ラマン光源ユニットに配設され、且つ、当該ラマン光源ユニットに入力された前記光信号に基づいて前記第１の伝送路における障害の発生を検出するように構成された光伝送装置。
【００９５】
（付記３）
付記２に記載の光伝送装置であって、
前記監視制御ユニットは、
前記第１の障害発生検出手段により障害の発生が検出された場合において、前記第２の障害発生検出手段により障害の発生が検出されたときに前記障害発生位置として前記第１の伝送路を特定し、一方、前記第２の障害発生検出手段により障害の発生が検出されなかったときに前記障害発生位置として前記第２の伝送路を特定するように構成された光伝送装置。
【００９６】
（付記４）
付記２又は付記３に記載の光伝送装置であって、
前記光信号は、主信号と監視信号とを含み、
前記第１の障害発生検出手段は、前記主信号に基づいて前記障害の発生を検出するように構成され、
前記第２の障害発生検出手段は、前記監視信号に基づいて前記障害の発生を検出するように構成された光伝送装置。
【００９７】
（付記５）
付記１に記載の光伝送装置であって、
前記第２の障害発生検出手段は、前記ラマン光源ユニット及び前記光増幅ユニットの一方に配設され、且つ、前記第２の伝送路へ出力される検査用光信号を生成する検査用光源と、前記ラマン光源ユニット及び前記光増幅ユニットの他方に配設され、且つ、前記検査用光源からの前記検査用光信号に基づいて前記第２の伝送路における障害の発生を検出する第２の伝送路用障害発生検出手段と、を含む光伝送装置。
【００９８】
（付記６）
付記５に記載の光伝送装置であって、
前記監視制御ユニットは、
前記第１の障害発生検出手段により障害の発生が検出された場合において、前記第２の障害発生検出手段により障害の発生が検出されなかったときに前記障害発生位置として前記第１の伝送路を特定し、一方、前記第２の障害発生検出手段により障害の発生が検出されたときに前記障害発生位置として前記第２の伝送路を特定するように構成された光伝送装置。
【００９９】
（付記７）
付記５又は付記６に記載の光伝送装置であって、
前記光信号は、主信号と監視信号とを含み、
前記第１の障害発生検出手段は、前記主信号に基づいて前記障害の発生を検出するように構成された光伝送装置。
【０１００】
（付記８）
付記１乃至付記７のいずれか一項に記載の光伝送装置であって、
前記第１の障害発生検出手段は、前記障害の発生を検出した場合、第１のアラーム信号を出力するように構成され、
前記第２の障害発生検出手段は、前記障害の発生を検出した場合、第２のアラーム信号を出力するように構成され、
前記監視制御ユニットは、
前記第１のアラーム信号及び前記第２のアラーム信号が入力されるように構成され、
前記第１のアラーム信号の入力の有無を表す第１の入力有無情報と、前記第２のアラーム信号の入力の有無を表す第２の入力有無情報と、前記障害発生位置情報と、を対応付けたテーブルを記憶する障害発生位置情報記憶手段を含み、
前記第１のアラーム信号の実際の入力の有無と、前記第２のアラーム信号の実際の入力の有無と、前記記憶されているテーブルと、に基づいて前記障害発生位置を特定するように構成された光伝送装置。
【０１０１】
（付記９）
付記１乃至付記８のいずれか一項に記載の光伝送装置であって、
前記光信号は、主信号と監視信号とを含み、
前記監視制御ユニットが前記第１の伝送路を前記障害発生位置として特定した場合、前記第１の伝送路を介した前記主信号の送信を停止させるための停止指示信号を、前記光信号の送信元へ送信するように構成された光伝送装置。
【０１０２】
ところで、第１の伝送路において障害が発生した場合、安全を確保するために第１の伝送路による主信号の伝送を停止させることが好適である。従って、第２の伝送路において障害が発生し且つ第１の伝送路において障害が発生していない場合、第１の伝送路による主信号の伝送を停止させる必要がない。
【０１０３】
しかしながら、光伝送装置が、障害が発生した伝送路を特定可能に構成されていない場合、第２の伝送路において障害が発生したときであっても、第１の伝送路による主信号の伝送を無駄に停止させてしまう場合が生じるという問題があった。これに対し、上記構成によれば、第１の伝送路による主信号の伝送を無駄に停止させることを回避することができる。
【０１０４】
（付記１０）
付記１乃至付記９のいずれか一項に記載の光伝送装置であって、
前記光信号は、主信号と監視信号とを含み、
第３の伝送路を介して、前記光増幅ユニットに接続され、且つ、当該光増幅ユニットから出力された前記監視信号が入力され、当該入力された監視信号に基づいて、前記第３の伝送路における障害の発生を検出する第３の障害発生検出手段を有する監視信号制御ユニットを備え、
前記監視制御ユニットは、
前記第１の障害発生検出手段により障害の発生が検出されなかった場合において、前記第３の障害発生検出手段により障害の発生が検出されたときに前記障害発生位置として前記第３の伝送路を特定するように構成された光伝送装置。
【０１０５】
（付記１１）
光信号を伝送する第１の伝送路と接続され、且つ、当該光信号をラマン増幅させるための励起光を発する光源を有するとともに、当該第１の伝送路を伝送された光信号が入力され、当該入力された光信号を出力するラマン光源ユニットと、
第２の伝送路を介して、前記ラマン光源ユニットに接続され、且つ、当該ラマン光源ユニットから出力された光信号が入力され、当該入力された光信号を増幅する光増幅ユニットと、
を備える光伝送装置に適用され、
第１の障害発生検出手段が、当該光増幅ユニットに入力された光信号に基づいて、前記第１の伝送路及び前記第２の伝送路における障害の発生を検出し、
第２の障害発生検出手段が、前記第１の伝送路、又は、前記第２の伝送路における障害の発生を検出し、
前記第１の障害発生検出手段により障害の発生が検出された場合に、前記第２の障害発生検出手段により障害の発生が検出されたか否かに基づいて、障害が発生した位置である障害発生位置を特定し、当該特定した障害発生位置を表す障害発生位置情報を出力する、光伝送方法。
【０１０６】
（付記１２）
付記１１に記載の光伝送方法であって、
前記第２の障害発生検出手段が、前記ラマン光源ユニットに入力された前記光信号に基づいて前記第１の伝送路における障害の発生を検出する、光伝送方法。
【０１０７】
（付記１３）
付記１１に記載の光伝送方法であって、
前記第２の障害発生検出手段が、前記ラマン光源ユニット及び前記光増幅ユニットの一方から前記第２の伝送路へ検査用光信号を出力し、前記ラマン光源ユニット及び前記光増幅ユニットの他方に入力された前記検査用光信号に基づいて前記第２の伝送路における障害の発生を検出する、光伝送方法。
【産業上の利用可能性】
【０１０８】
本発明は、光信号を伝送する光伝送装置、光信号を中継する光中継装置、及び、光信号を受信する光受信装置等に適用可能である。
【符号の説明】
【０１０９】
１      光伝送システム
１０，２０  光伝送装置
Ｆ１１〜Ｆ２３    光ファイバ
２１    ラマン光源ユニット
２１ａ  励起光源
２１ｂ  監視信号検出部
２１ｃ  検査用光源
２１ｄ  検査用光信号検出部
２２    光増幅ユニット
２２ａ  主信号検出部
２２ｂ  検査用光信号検出部
２２ｃ  検査用光源
２３    監視信号制御ユニット
２３ａ  監視信号検出部
２４    光増幅ユニット
２５    監視制御ユニット
２５ａ  障害発生位置情報記憶部
１００  光伝送装置
１０１  ラマン光源ユニット
１０１ａ  励起光源
１０２  光増幅ユニット
１０２ａ  第１の障害発生検出部
１０３  第２の障害発生検出部
１０４  監視制御ユニット
Ｃ１〜Ｃ３  光ファイバ
Ｄ１，Ｄ２  第１の伝送路
【図１】
2012015934.tif 000003
【図２】
2012015934.tif 000004
【図３】
2012015934.tif 000005
【図４】
2012015934.tif 000006
【図５】
2012015934.tif 000007
【図６】
2012015934.tif 000008
【図７】
2012015934.tif 000009